(57)【要約】  【課題】  簡単な構成で、様々な機種に対応可能であり、騒音，風量，熱対策も容易なファンホルダー構造を提供する。  【解決手段】  ファンホルダー１の前端部には、ファンからの風を通過させる所定の風穴を有するファンプレート２を取り付けるための、長板状の取付部１ｂが両内側に突設している。この取付部１ｂとファンホルダー１本体側との間に、矢印で示すようにファンプレート２が上側より嵌入可能となっている。そして、この構成により、ファンプレート２がファンホルダー１に対して着脱，交換自在となる。【選択図】      図１
2007056681.tif 000002
【特許請求の範囲】
【請求項１】
内部にファンが取り付けられるファンホルダーと、該ファンホルダーの前端部に着脱自
在に取り付けられ、前記ファンからの風を通過させる所定の風穴を有するファンプレート
とを備え、
前記ファンプレートは、前記ファンホルダーの前端部より延びる取付部と該前端部に設
けた受け部との間に挿入され、前記取付部より突出する板バネ部と前記受け部との間に嵌
入されて保持され、
前記板バネ部に設けた突起と前記ファンプレートに設けた嵌合穴とが嵌合することによ
り、該ファンプレートが前記ファンホルダーの所定位置に保持固定されることを特徴とす
るファンホルダー構造。
【請求項２】
内部にファンが取り付けられるファンホルダーと、該ファンホルダーの前端部に着脱自
在に取り付けられ、前記ファンからの風を通過させる所定の風穴を有するファンプレート
とを備えたことを特徴とするファンホルダー構造。
【請求項３】
前記ファンプレートは、前記ファンホルダーの前端部より延びる取付部と該前端部に設
けた受け部との間に挿入され、前記取付部より突出する板バネ部と前記受け部との間に嵌
入されて保持されることを特徴とする請求項２に記載のファンホルダー構造。
【請求項４】
前記ファンプレートの前記風穴が開いた部分を前方に膨らませた形状としたことを特徴
とする請求項２又は請求項３に記載のファンホルダー構造。
【発明の詳細な説明】
【技術分野】
【０００１】
本発明は、装置を冷却するファンのファンホルダー構造に関するものである。
【背景技術】
【０００２】
従来より、電子機器等の各種装置内部を冷却するファンのファンホルダー構造について
は、様々なものが提案されている。例えば、取付基板へのファンユニットの取り付け及び
取り外しを容易として着脱作業の簡略化を図ったファンユニットの取付構造が、特許文献
１に開示されている。
【０００３】
具体的には、複数の回転羽根を有するファンとこのファンを囲繞するハウジングとを備
えたファンユニットを設け、このファンユニットを取付基板に固定するためのファンユニ
ットの取付構造であって、前記取付基板に前記ファンユニットを取り付けるためのホルダ
を設け、このホルダに前記ハウジングと嵌合する保持部と、前記取付基板を圧入保持する
圧入溝を設けた構成としている。
【０００４】
そして、この構成によれば、ねじやビスなど固定具を用いることなく、簡単かつ容易に
ファンユニットを固定することができ、ファンユニットの組付作業性を高めることができ
るとしている。また、ファンユニットは保持部に嵌合して保持され、ファンユニットの交
換時などにおいて、ファンユニットを上方側に引き抜くだけで、簡単に取り外すことがで
きるため、ファンユニットの着脱も簡単であるとしている。
【０００５】
また、ファン固定時の作業性の向上を図ったファン固定構造が、特許文献２に記載され
ている。具体的には、適宜の箇所にガイド穴を有するファンと、該ファンが挿入されるガ
イドレールと、該ガイドレールを押圧するバネ板と、該ガイド穴と嵌合するようにその底
面から立植するガイドピンとを有し、該ファンを搭載するファンプレートと、から構成さ
れるものとしている。
【０００６】
そして、この構成によれば、ファンが搭載されるファンプレートと、ファンとを上下方
向および横方向からネジレスにて固定しているため、ファンの交換が発生した場合におい
ても、容易に取り外しおよび取り付けを行うことができるとしている。
【特許文献１】特開２００３−３０４０８５号公報
【特許文献２】実開平４−１８４９０号公報
【発明の開示】
【発明が解決しようとする課題】
【０００７】
しかしながら、冷却が必要な電子機器等の各種装置においては、その機種毎に熱に対す
る要求がまちまちであり、それに伴い必要な風量及び騒音対策が様々となるので、従来は
各機種に対応したファンホルダーの金型を別々に起こさなければならなかった。このため
、騒音，風量，熱対策が困難で多大の検討期間を要し、またコストアップの要因となって
いた。
【０００８】
本発明は、このような問題点に鑑み、簡単な構成で、様々な機種に対応可能であり、騒
音，風量，熱対策も容易なファンホルダー構造を提供することを目的とする。
【課題を解決するための手段】
【０００９】
上記目的を達成するために、本発明では、内部にファンが取り付けられるファンホルダ
ーと、該ファンホルダーの前端部に着脱自在に取り付けられ、前記ファンからの風を通過
させる所定の風穴を有するファンプレートとを備えたことを特徴とする。
【００１０】
また、前記ファンプレートは、前記ファンホルダーの前端部より延びる取付部と該前端
部に設けた受け部との間に挿入され、前記取付部より突出する板バネ部と前記受け部との
間に嵌入されて保持されることを特徴とする。
【００１１】
また、前記板バネ部に設けた突起と前記ファンプレートに設けた嵌合穴とが嵌合するこ
とにより、該ファンプレートが前記ファンホルダーの所定位置に保持固定されることを特
徴とする。
【００１２】
また、前記ファンプレートの前記風穴が開いた部分を前方に膨らませた形状としたこと
を特徴とする。
【発明の効果】
【００１３】
本発明によれば、簡単な構成で、様々な機種に対応可能であり、騒音，風量，熱対策も
容易なファンホルダー構造を提供することができる。
【００１４】
具体的には、装置の冷却に関して、ファンは共通でファンホルダーも一種類の金型で共
通使用できるようになり、ファンプレートのみの交換で様々な装置の機種別に対応ができ
るようになる。
【００１５】
また一つの機種においても、ファンプレートのみを変更して検討することができるので
、騒音，風量，熱対策が容易となる。
【発明を実施するための最良の形態】
【００１６】
以下、本発明の実施の形態について、図面を参照しながら説明する。
【実施例１】
【００１７】
図１は、本発明の実施例１に係るファンホルダー構造を模式的に示す斜視図である。同
図に示すように、略角筒状をしたファンホルダー１の後端部には、これを図示しない装置
側に取り付けるための、長板状の取付部１ａが左右両外側に突設している。取付部１ａに
はネジ止め用の取付孔１ａａが設けられている。このファンホルダー１の内部には、図示
しないファンが取り付けられ、ファンホルダー１と共に装置側面或いは裏面等に外付けさ
れる構成となっている。
【００１８】
一方、ファンホルダー１の前端部には、ファンからの風を通過させる所定の風穴を有す
るファンプレート２を取り付けるための、長板状の取付部１ｂが両内側に突設している。
この取付部１ｂとファンホルダー１本体側との間に、矢印で示すようにファンプレート２
が上側より嵌入可能となっている。そして、この構成により、ファンプレート２がファン
ホルダー１に対して着脱，交換自在となる。詳しくは後述する。
【００１９】
図２は、ファンホルダーにおけるファンプレートの取付構造を示す模式図であり、同図
（ａ）は前部平面図、同図（ｂ）は正面図、同図（ｃ）は要部右側面拡大断面図である。
同図に示すように、上記取付部１ｂは、ファンホルダー１本体前端部の左右両側より一旦
前方に延び、続いて内側に突設しており、それぞれ平面視略Ｌ字状となっている。また、
ファンホルダー１前端部で取付部１ｂと相対する位置には、細板状の受け部１ｃが設けら
れている。
【００２０】
さらに、取付部１ｂにはファンプレート２を保持する弾性力をもたらす板バネ部１ｂａ
が設けられている。これは、同図（ｂ）に示すように、取付部１ｂ前面より後側へ向かっ
て取っ手状に突出する形状をしている。これの上下両端部は取付部１ｂに繋がっている。
そして、ファンプレート２がファンホルダー１前端部と取付部１ｂとの間に上側より挿入
されると、板バネ部１ｂａと受け部１ｃとの間に嵌入され、板バネ部１ｂａの弾性により
保持される。
【００２１】
加えて、例えば板バネ部１ｂａの後面中央に突起ｐを設け、対応するファンプレート２
の前面に嵌合穴ｈを設けて、穴ｈに突起ｐが嵌合するようにしておけば、ファンプレート
２は所定位置に確実に保持固定される。なお、ファンホルダー１及びファンプレート２を
形成する材質としては、樹脂或いは板金等が挙げられる。以上の構成により、ファンプレ
ート２をファンホルダー１の前部にてスライドさせるだけで、ファンホルダー１に対して
着脱，交換が自在に行えるようになる。なお、以上のような構成に限定されるものではな
い。
【００２２】
図３は、ファンプレート２に開けられる風穴２ａの様々な形状を示す図である。同図（
ａ）は円形の穴を多数開けたタイプ、同図（ｂ）はファンの回転方向に沿った円弧状のス
リットを開けたタイプ、同図（ｃ）は放射状に設けた格子状の穴を開けたタイプである。
その他、様々なタイプが考えられる。このように、様々なタイプのファンプレート２を取
り替えることにより、ファンの風量や騒音を調整することができる。
【００２３】
一般に、ファンプレートの開口面積と風量は比例するので、風量の増加に伴い騒音も増
加する。一方、風穴の間に設けられるフィンが少ない方が風切り音も小さくなるので、騒
音は低下する。従って、開口面積を同じとしたとき、同図（ｃ）は従来よりのオーソドッ
クスなタイプではあるが、フィンが多い分風切り音も大きくなって不利となる場合がある
。これに対して同図（ｂ）では、ファンの回転方向に沿ってスリットを開けてあるので、
風切り音も小さくなる。また、同図（ａ）では騒音対策は不十分ではあるが、円形の穴だ
けで済むので金型加工がしやすく、コストダウンを図ることができる。
【００２４】
また、風切り音を小さくするために、風穴部分をファンから遠ざける方法もある。例え
ば、図４に右側面断面図として示すように、ファンプレート２の風穴２ａが開いた部分を
前方に膨らませた形状とすることにより、ファンホルダー１内部に取り付けられている図
示しないファンからファンプレート２を実質的に遠ざけることができるので、ファンから
の風が直接に風穴２ａに吹き付けられることが少なくなり、風切り音を小さくすることが
できる。
【００２５】
以上説明したように、本発明によれば、装置の冷却に関して、ファンは共通でファンホ
ルダーも一種類の金型で共通使用できるようになり、ファンプレートのみの交換で様々な
装置の機種別に対応ができるようになる。勿論一つの機種においても、ファンプレートの
みを変更して検討することができるので、騒音，風量，熱対策が容易となる。
【産業上の利用可能性】
【００２６】
本発明は、ファンによる冷却が必要なあらゆる装置に適用可能である。
【図面の簡単な説明】
【００２７】
【図１】本発明の実施例１に係るファンホルダー構造を模式的に示す斜視図。
【図２】ファンプレートの取付構造を示す模式図。
【図３】ファンプレートに開けられる風穴の様々な形状を示す図。
【図４】ファンプレートの風穴部分を前方に膨らませた形状を示す右側面断面図。
【符号の説明】
【００２８】
１    ファンホルダー
１ａ，１ｂ    取付部
１ｃ    受け部
１ｂａ    板バネ部
２    ファンプレート
２ａ    風穴
【図１】
2007056681.tif 000003
【図２】
2007056681.tif 000004
【図３】
2007056681.tif 000005
【図４】
2007056681.tif 000006